(57)【要約】【課題】不要物である放電生成物とトナーとの双方の除去を確実に行なうことができるクリーニング装置、そのクリーニング装置を備えることで、画像形成の品質を維持しつつ高生産性に対応した帯電装置、カートリッジ、および画像形成装置を提供する。  【解決手段】３種類のクリーニング部材となる研磨部材１１２、水拭部材１１３、乾拭部材１１４を設けて、その順のまま放電ワイヤ１１０に沿ってそれらの部材１１２〜１１４を動かすことにより放電ワイヤ１１０の表面のクリーニングを実施する。研磨部材１１２による研磨によって放電ワイヤの表面に付着した不要物中のトナーが除去され、水拭部材１１３による水拭きによって不要物中の放電生成物が除去され、乾拭部材１１４によって水拭き時に放電ワイヤの表面に残った水分が除去される。【選択図】  図３
2009193013.tif 000002
【特許請求の範囲】
【請求項１】
直線的に延びた放電ワイヤに電圧が印加されることにより該放電ワイヤから被帯電体に放電して該被帯電体に電荷を付与する帯電装置の該放電ワイヤに接触し、該放電ワイヤの表面を研磨する研磨部材と、
前記放電ワイヤに接触し、該放電ワイヤの表面を水拭きする、水分を有する水拭部材と、
前記放電ワイヤに接触し、該放電ワイヤの表面を乾拭きする乾拭部材と、
前記研磨部材、前記水拭部材、および前記乾拭部材がこの順で通過するようにそれら研磨部材、水拭部材、および乾拭部材を前記放電ワイヤが延びた方向に動かす駆動部とを備えたことを特徴とするクリーニング装置。
【請求項２】
前記駆動部が、前記研磨部材、前記水拭部材、および前記乾拭部材を前記放電ワイヤが延びた方向の一方側に動かすことで該放電ワイヤから不要物を除去し、それら研磨部材、水拭部材、および乾拭部材を該放電ワイヤから離間させて該一方側に対する逆側に戻すものであることを特徴とする請求項１記載のクリーニング装置。
【請求項３】
前記水拭部材に前記水分を補給する補給部を備えたことを特徴とする請求項１または２記載のクリーニング装置。
【請求項４】
電圧が印加されることにより前記像保持体に放電して該像保持体に電荷を付与する直線的に延びた放電ワイヤと、
前記放電ワイヤに接触し、該放電ワイヤの表面を研磨する研磨部材と、
前記放電ワイヤに接触し、該放電ワイヤの表面を水拭きする、水分を有する水拭部材と、
前記放電ワイヤに接触し、該放電ワイヤの表面を乾拭きする乾拭部材と、
前記研磨部材、前記水拭部材、および前記乾拭部材がこの順で通過するようにそれら研磨部材、水拭部材、および乾拭部材を前記放電ワイヤが延びた方向に動かす駆動部とを備えたことを特徴とする帯電装置。
【請求項５】
表面に像が形成されその像を保持する像保持体と、
電圧が印加されることにより前記像保持体に放電して該像保持体に電荷を付与する、該像保持体の表面に沿って直線的に延びた放電ワイヤと、
前記放電ワイヤに接触し、該放電ワイヤの表面を研磨する研磨部材と、
前記放電ワイヤに接触し、該放電ワイヤの表面を水拭きする、水分を有する水拭部材と、
前記放電ワイヤに接触し、該放電ワイヤの表面を乾拭きする乾拭部材と、
前記研磨部材、前記水拭部材、および前記乾拭部材がこの順で通過するようにそれら研磨部材、水拭部材、および乾拭部材を前記放電ワイヤが延びた方向に動かす駆動部とを備えたことを特徴とするカートリッジ。
【請求項６】
表面に像が形成されその像を保持する像保持体；
電圧が印加されることにより前記像保持体に放電して該像保持体に電荷を付与する、該像保持体の表面に沿って直線的に延びた放電ワイヤと、
前記放電ワイヤに接触し、該放電ワイヤの表面を研磨する研磨部材と、
前記放電ワイヤに接触し、該放電ワイヤの表面を水拭きする、水分を有する水拭部材と、
前記放電ワイヤに接触し、該放電ワイヤの表面を乾拭きする乾拭部材と、
前記研磨部材、前記水拭部材、および前記乾拭部材がこの順で通過するようにそれら研磨部材、水拭部材、および乾拭部材を前記放電ワイヤが延びた方向に動かす駆動部とを備えた帯電装置：
前記放電ワイヤに電圧を印加する電圧印加部；および
前記帯電装置によって電荷が付与された像保持体の表面に静電潜像を形成し、該静電潜像を現像して現像像を形成する像形成部；
を備えたことを特徴とする画像形成装置。
【発明の詳細な説明】
【技術分野】
【０００１】
本発明は、帯電装置が備える放電ワイヤをクリーニングするクリーニング装置、そのクリーニング装置を備えた帯電装置、クリーニング装置を備えたカートリッジ、およびその帯電装置を備えた画像形成装置に関する。
【背景技術】
【０００２】
電子写真プロセスを使って記録媒体上に画像を形成する画像形成装置が広く普及している。このような画像形成装置では通常、電子写真プロセスの第１工程として帯電装置によって被帯電体である感光体の表面に電荷が付与され感光体表面が帯電される。そして感光体表面が帯電された後、次の第２工程で露光器により露光が行なわれて感光体表面の帯電状態が変更されて静電潜像が感光体上に形成され、更に次の第３工程で現像機によりその感光体上の静電潜像が形成された部分に電荷の代わりにトナーが付着されて感光体上に現像像が形成される。さらに第４工程で転写器および定着器によりその感光体上の現像像が記録媒体に転写・定着されて転写像が記録媒体上に融着し画像として形成されることとなる。
【０００３】
ここで、上記電子写真プロセスの第１の工程に用いられる帯電装置には様々な種類のものがあり、その中にはコロトロンやスコロトロンと呼ばれる放電ワイヤを備えた帯電装置があることが広く知られている。このコロトロンやスコロトロンは構成が簡単であるために画像形成装置であるコピー機やプリンタに良く搭載される。このコロトロンやスコロトロンでは、放電ワイヤから被帯電体である例えば感光体に放電させてその感光体に電荷が付与されることにより感光体表面が帯電される。
【０００４】
しかしコロトロンやスコロトロンのような放電ワイヤを備えた帯電装置では放電ワイヤから繰り返し放電が行なわれると、時間の経過とともに放電ワイヤに放電生成物が付着して放電ワイヤからの放電状態が変化して被帯電体である感光体が部分的に十分帯電されなくなる事態が発生する。また、画像形成装置に組み込まれた帯電装置では、トナーの付着によっても同様な事態が発生する。
【０００５】
そこで画像形成装置に組み込まれた帯電装置では、放電ワイヤに付着した放電生成物やトナー（以下ではこれらを「不要物」と総称する場合がある）を定期的にクリーニングすることが行なわれている。このクリーニング装置で定期的に放電ワイヤのクリーニングが自動的に行なわれると、放電ワイヤ表面の不要物がある程度は除去されて被帯電体である感光体表面の帯電の一様性が継続的に保たれ、画像の品質が保たれる。
【０００６】
ところで、放電ワイヤがクリーニングされるときには、研磨部材で放電ワイヤの表面の不要物が研磨されて放電ワイヤに付着した不要物がクリーニングされるものが多い。
【０００７】
しかし、研磨部材で放電ワイヤの表面の不要物を研磨する構成では、不要物中のトナーを効果的に除去することができても同じ不要物中の放電生成物を効果的に除去することができない。
【０００８】
そこで特許文献１等には、水が浸みたスポンジ状の水拭部材を使って放電ワイヤに付着した不要物を効果的に除去する技術が提案されている。このような特許の中には、水が浸みたクリーニング部材で放電ワイヤを水拭きした後の水分を拭き取る乾拭部材を併設する技術が提案されている（例えば特許文献２）。
【０００９】
しかしこの特許文献１、２のような水が浸みたクリーニング部材で放電ワイヤをクリーニングする構成では、不要物中の放電生成物の除去を行なうことはできてもトナーの除去をうまく行なうことができない。
【特許文献１】特開２００４−３４７６６１号公報
【特許文献２】特開２００６−１４５９４１号公報
【発明の開示】
【発明が解決しようとする課題】
【００１０】
本発明は、上記事情に鑑み、不要物である放電生成物とトナーとの双方の除去を確実に行なうことができるクリーニング装置、そのクリーニング装置を備えることで、画像形成の品質を維持しつつ高生産性に対応した帯電装置、カートリッジ、および画像形成装置を提供することを目的とする。
【課題を解決するための手段】
【００１１】
上記目的を達成する本発明のクリーニング装置は、直線的に延びた放電ワイヤに電圧が印加されることによりその放電ワイヤから被帯電体に放電してその被帯電体に電荷を付与する帯電装置の放電ワイヤに接触した、その放電ワイヤの表面を研磨する研磨部材と、
上記放電ワイヤに接触した、その放電ワイヤの表面を水拭きする、水分を有する水拭部材と、
上記放電ワイヤに接触した、その放電ワイヤの表面を乾拭きする乾拭部材と、
上記研磨部材、上記水拭部材、および上記乾拭部材がこの順で通過するようにそれら研磨部材、水拭部材、および乾拭部材を上記放電ワイヤが延びた方向に動かす駆動部とを備えたことを特徴とする。
【００１２】
上記本発明のクリーニング装置によれば、上記駆動部に駆動されることにより上記研磨部材によって上記放電ワイヤに付着している不要物中のトナーが除去され、次に上記水拭部材によって不要物中の放電生成物が除去され、最後に上記乾拭部材によって放電ワイヤに残った水分が除去される。このようにクリーニング効果の異なる３つの部材それぞれによって放電ワイヤに付着した不要物が除去されると、不要物中のトナーや放電生成物が確実に除去される。このことは一回のクリーニングにおけるクリーニング性能が高められたことを意味する。
【００１３】
ここで、上記駆動部が、上記研磨部材、上記水拭部材、および上記乾拭部材を上記放電ワイヤが延びた方向の一方側に動かすことでその放電ワイヤから不要物を除去し、それら研磨部材、水拭部材、および乾拭部材を放電ワイヤから離間させて一方側に対する逆側に戻すものであることが好ましい。
【００１４】
そうすると、上記研磨部材、上記水拭部材、上記乾拭部材を、放電ワイヤが延びた方向の一方側に動かすことでそれらに放電ワイヤに付着した不要物を除去させた後、それらの部材を放電ワイヤから離間させてその一方側に対する逆側に戻してそれらの部材を初期位置に待機させ、次のクリーニング時には再度、上記研磨部材、上記水拭部材、および上記乾拭部材をこの順で放電ワイヤが延びた方向の一方側に動かして放電ワイヤの不要物を除去することができる。
【００１５】
また上記水拭部材に上記水分を補給する補給部を備えた態様であることが好ましい。
【００１６】
上記水拭部材の水分は放電ワイヤの水拭を行ったときにある程度の量が使われてしまうし、水拭部材の水分は時間が経つと蒸発してしまう。もしも水拭部材が乾くようなことがあると、水拭部材で放電ワイヤを水拭きすることができなくなってしまう。
【００１７】
そこで、上記補給部で上記水拭部材に水分を補給する構成にして上記水拭部材が乾くようなことが起こりそうなときには水分を補給することができる構成にしておくと良い。
【００１８】
上記目的を達成する本発明の帯電装置は、
電圧が印加されることにより上記像保持体に放電して該像保持体に電荷を付与する直線的に延びた放電ワイヤと、
上記放電ワイヤに接触した、放電ワイヤの表面を研磨する研磨部材と、
上記放電ワイヤに接触した、放電ワイヤの表面を水拭きする、水分を有する水拭部材と、
上記放電ワイヤに接触した、放電ワイヤの表面を乾拭きする乾拭部材と、
上記研磨部材、上記水拭部材、および上記乾拭部材がこの順で通過するようにそれら研磨部材、水拭部材、および乾拭部材を上記放電ワイヤが延びた方向に動かす駆動部とを備えたことを特徴とする。
【００１９】
上記本発明の帯電装置には、上記研磨部材と上記水拭部材と上記乾拭部材と上記駆動部とで構成されるクリーニング装置が備えられており、そのクリーニング装置によって放電ワイヤの表面に付着したトナーや放電生成物からなる不要物が一回のクリーニングによって確実に除去される。これは、一回のクリーニングにおけるクリーニング性能が高められたということを示しており、この帯電装置を画像形成装置に搭載した場合には、クリーニングの回数を減らすことが可能になるということを示す。つまりこの帯電装置は、画像形成の品質を維持しつつ高生産性に対応することが可能であるということになる。
【００２０】
上記目的を達成する本発明のカートリッジは、
表面に像が形成されその像を保持する像保持体と、
電圧が印加されることにより上記像保持体に放電して該像保持体に電荷を付与する、該像保持体の表面に沿って直線的に延びた放電ワイヤと、
上記放電ワイヤに接触し、その放電ワイヤの表面を研磨する研磨部材と、
上記放電ワイヤに接触し、その放電ワイヤの表面を水拭きする、水分を有する水拭部材と、
上記放電ワイヤに接触し、その放電ワイヤの表面を乾拭きする乾拭部材と、
上記研磨部材、上記水拭部材、および上記乾拭部材がこの順で通過するようにそれら研磨部材、水拭部材、および乾拭部材を上記放電ワイヤが延びた方向に動かす駆動部とを備えたことを特徴とする。
【００２１】
上記本発明のカートリッジでは、上記放電ワイヤと上記研磨部材と上記水拭部材と上記乾拭部材と上記駆動部とで構成される帯電装置と上記像保持体とが一つのカートリッジ内に収容される。
【００２２】
前述した様に、このカートリッジ内の帯電装置が備えるクリーニング装置では、上記研磨部材と上記水拭部材と上記乾拭部材とによって放電ワイヤの表面に付着した不要物が一回のクリーニングにより確実に除去される。これは、一回のクリーニングにおけるクリーニング性能が高められたということを示しており、クリーニングの回数を減らしてそのクリーニング部材の寿命を延ばすことが可能であるということを示唆している。
【００２３】
このため、上記像保持体と同じ位にまで寿命が延びた上記帯電装置を上記像保持体とともに一本のカートリッジ内に収容して、寿命がきたときにはそのカートリッジを一度に交換する構成にすることができる。こうして上記帯電装置と上記像保持体とを一度に交換する構成にすると、このカートリッジが搭載される画像形成装置のメンテナンスが行い易くなるという効果が得られる。
【００２４】
また上記目的を達成する本発明の画像形成装置は、
表面に像が形成されその像を保持する像保持体；
電圧が印加されることにより上記像保持体に放電して該像保持体に電荷を付与する、該像保持体の表面に沿って直線的に延びた放電ワイヤと、
上記放電ワイヤに接触し該放電ワイヤの表面を摺擦することで該放電ワイヤから不要物を除去するクリーニング部材と、
上記クリーニング部材を上記放電ワイヤの延びた方向に動かすクリーニング部材駆動部と、
上記クリーニング部材駆動部が上記クリーニング部材を動かしている最中に上記放電ワイヤを、該放電ワイヤ自体を回転軸として回転させる回転駆動部とを備えた帯電装置；
上記放電ワイヤに電圧を印加する電圧印加部；および
上記帯電装置によって電荷が付与された像保持体の表面に静電潜像を形成し、該静電潜像を現像して現像像を形成する像形成部；
を備えたことを特徴とする。
【００２５】
上記本発明の画像形成装置によれば、今までよりも一回のクリーニングにおけるクリーニング性能が向上した上記クリーニング装置によって放電ワイヤのクリーニングが行なわれて放電ワイヤに付着した不要物が一回のクリーニングにより確実に除去されていままでよりも長い期間にわたって放電時の像担持体への帯電むらが抑制される。このため、画像形成装置の生産性の向上に対応可能となる。
【発明の効果】
【００２６】
以上、説明したように、本発明によれば、不要物である放電生成物とトナーとの双方の除去を効果的に行なうことができるクリーニング装置、そのクリーニング装置を備えることで、画像形成の品質を維持しつつ高生産性に対応した帯電装置、カートリッジ、および画像形成装置が実現する。
【発明を実施するための最良の形態】
【００２７】
以下、本発明の実施形態について説明する。
【００２８】
図１は、クリーニング装置が備えられた本発明の画像形成装置の一実施形態であるプリンタを示す概略図である。
【００２９】
図１に示すプリンタ１は、帯電装置１１により所定の電荷が付与された、矢印Ａの向きに回転する感光体１０の表面に、送信されてきた画像データに基づいて露光器１２で生成した露光光を照射することで静電潜像を形成し、形成した静電潜像を現像器１３に収容したトナーで現像し、この現像により得られたトナー像を、用紙トレイ１６から用紙搬送装置１７により引き出され、矢印Ｂの向きに搬送されてきた記録用紙上に転写器１４によって転写し、定着器１５により定着することにより記録用紙上に画像を形成するモノクロ画像専用機である。図１の帯電装置１１の左側には感光体１０から不要なトナーを掻き落とすブレードを備えたクリーナー１８が備えられている。
【００３０】
なお図１の帯電装置１１、露光器１２、現像機１３、転写器１４、定着器１５、搬送装置１７の動作は、不図示の制御装置によって制御されている。
【００３１】
この図１の構成では、本発明にいう像保持体の一例として感光体１０が備えられ、本発明にいう像形成部の一例が、露光器１２、現像機１３、転写器１４、および定着器１５で構成されている。なお図１の構成では、感光体１０と帯電装置１１とクリーナ１８とが一つのカートリッジ１９内に収容されいて必要に応じてそのカートリッジ１９を自在に交換することができる構成になっている。
【００３２】
また、図１に示す帯電装置１１はコロトロンであって、そのコロトロンには放電ワイヤと放電ワイヤをクリーニングするクリーニング装置とが備えられている。
【００３３】
なお、本実施形態では、不図示の制御部が、内蔵のタイマーによって動作時間の積算値を計時する構成になっており、所定の積算値に達したと判定したときにコロトロン内部の、後述するクリーニング装置を自動的に動作させてクリーニングを実施する構成を採用している。
【００３４】
図２は、そのコロトロンが備えるクリーニング装置の構成を説明する図である。図２（ａ）には、クリーニング装置を側面から見た図が示されており、図２（ｂ）には、クリーニング装置を上面から見た図が示されている。また、図３は、クリーニング装置が備える、本発明にいう駆動部の構成の一例を説明する図である。
【００３５】
まず、図２を参照して本発明にいう帯電装置の一例になるコロトロン１１の構成を説明する。
【００３６】
図２に示す様に、コロトロン１１には直線的に延びた放電ワイヤ１１０が備えられており、それらの放電ワイヤ１１０に電圧を印加する電圧印加部１１１が接続されている。この電圧印加部１１１は上記カートリッジ外に備えられたものである。この電圧印加部１１１によって放電ワイヤ１１０に電圧が印加されることによって放電ワイヤ１１０から被帯電体（図１の感光体）に放電して被帯電体である感光体１０に電荷が付与される。
【００３７】
この図２に示すコロトロン１１には、放電ワイヤ１１０に放電ワイヤの下方から接して放電ワイヤをクリーニングするための研磨部材１１２、水拭部材１１３、乾拭部材１１４が移動ケース１１６内に並べて配備されている。この移動ケース１１６の中には、３種類の部材を収容する収容ケース１１５が備えられており、その収容ケース１１５は移動ケース内のバネＳＰ１，ＳＰ２により放電ワイヤ１１０側にバネ付勢されている。
【００３８】
この移動ケース１１６は、放電ワイヤ１１０に沿って延びて設けられているベルト１１７に連結されており、そのベルト１１７は、両端の２つのプーリＰ１，Ｐ２によって張架されている。これらの２つのプーリＰ１，Ｐ２のうちの一つＰ１はモータＭ１に連結され、このモータＭ１の回転によりプーリＰ１が回転するとベルト１１７が回転して他のプーリＰ２も従動的に回転する。このため、不図示の制御部がモータＭ１に指示を出してモータＭ１を回転させることにより図３に示す様に移動ケース１１６を一方の側（図３では図の右側の方に向かって）に動かすことができる。
【００３９】
こうして移動ケース１１６を図３の右側の方に向かって動かすことができると、まず研磨部材１１２にトナーを除去させ、次に水拭部材１１３に放電生成物を除去させ、乾拭き部材１１４に水分を除去させるというように順序良く放電ワイヤ１１０の表面のクリーニングを行わせることができ、いままでよりも高いクリーニング性能を得ることができる。
【００４０】
ここで、本発明においては、研磨部材１１２による放電ワイヤ１１０の表面の研磨、水拭部材１１３による放電ワイヤ１１０の表面の水拭、乾拭部材１１４による放電ワイヤ１１０の乾拭の順に動作させないと、クリーニング性能が得られない。つまり移動ケース１１６を左から右に移動させているときにだけ研磨部材１１２、水拭部材１１３、乾拭部材１１４を放電ワイヤ１１０に接触させることにより放電ワイヤ１１０のクリーニングを実施させた後は、移動ケース１１６を放電ワイヤ１１０から離間して待機位置（図３の左側の位置Ａ）に戻す必要がある。さもないと、移動ケースを戻すときに乾拭部材、水拭部材、研磨部材の順にクリーニングが行われてしまって思わぬ不具合（例えば水拭きの後研磨することになるので水が飛び散ったり、研磨部材が痛んだりする）が発生する恐れが出てくる。
【００４１】
ここで、図３を使って移動ケースを図３の左側の待機位置に戻すときにどのようにして移動ケースを放電ワイヤから離間させるかを説明する。
【００４２】
図２で説明した移動ケース１１６とその移動ケース１１６に連結されているベルト１１７とプーリＰ１，Ｐ２とモータＭ１とはベルトユニットになっていてそのユニットが不図示の昇降機に連結されている。つまり、本実施形態では、ベルトユニットでベルトコンベアが構成される。
【００４３】
前述した様に、不図示の制御部が所定の積算時間が経過したことを検知したときには、まず図３の左側の待機位置Ａにある移動ケースをベルトユニットごとその昇降機で上昇させ、移動ケース内の研磨部材１１２、水拭部材１１３、乾拭部材１１４をそれぞれ放電ワイヤ１１０に接触させる。次に制御部がモータＭ１に指示してモータＭ１を回転させることによりプーリＰ１を回転させベルト１１７を回転させることにより移動ケース１１６を図３の右側に移動させる。そして移動ケース１１６が図３の右端部にまで移動した後はモータＭ１の駆動を一旦停止させる。ここで制御部は昇降機に指示してベルトユニットを下降させ、次にモータＭ１に指示してモータを逆回転させて移動ケース１１６を図３の左側の待機位置Ａまで戻している。
【００４４】
このような構成にすると、研磨、水拭き、乾拭きというクリーングの順番が狂うことなく、移動ケース１１６を一方の側に動かしてているときの最初に研磨部材１１２によってトナーが除去され、次に水拭き部材１１３によって放電生成物が除去されて最後に放電ワイヤに残った水が乾拭き部材１１４によって拭き取られることとなる。  
【００４５】
こうして研磨部材１１２による研磨、水拭部材１１３による水拭、乾拭部材１１４による乾拭の順にクリーニングを行なうことで一回のクリーニング性能を向上させると、いままでよりも長い時間の間、放電ワイヤ１１０の表面のクリーンな状態を維持することができるようになって、クリーニングの回数を減らすことができる。このため図１のプリンタにおいては、コロトロンが備える放電ワイヤのクリーニング回数が減ってプリント動作中に動作を中断してクリーニングを行う回数が減るという作用から図１のプリンタの生産性を高生産性のものにすることができるという効果が導き出される。
【００４６】
最後に水拭部材１１３は、時間が経過したり、何回かクリーニングが行われると乾燥してしまうことが予想される。そこで水拭き部材１１３に水を供給するための水供給装置１１８を設けて水拭部材１１３が乾燥したときにはその水供給装置１１８から水拭部材１１３に水を補給して水分が浸みた状態にすることができるようにしておくと良い。
【００４７】
この例では、図３に示す様に移動ケース１１６が図３の一番左側の待機位置Ａにあるときに水供給装置１１８から水拭部材１１３に水を供給することができるようにしている。
【００４８】
図３の例では、タンク１１８Ａと、バルブ１１８Ｂと、パイプ（チューブ）１１８Ｃとで本発明にいう水供給装置の一例が構成されている。この水供給装置１１８が備えるバルブ１１８Ｂは例えば電磁バルブなどで構成され、通常は閉となっていて不図示の制御部からの開信号を受けたときに開いてタンクＴ１からの水をパイプを通して水拭パッド１１３に供給する。尚バルブはメンテナンスの際に手動で開ける構成のものであっても良い。
【００４９】
このような構成にしておくと、水拭パッド１１３が乾燥することがなくいつでも良好なクリーニング性能が得られる。また、貯水タンク１１８Ａが空になったときにタンク１１８Ａに水を補給すれば良いのでメンテナンスが行ない易いという効果が得られる。
【００５０】
なお本実施形態では、コロトロンを例に挙げたが、スコロトロンはもとより、放電ワイヤを備えたものであれば本発明はどのようなものにも適用される。
【実施例】
【００５１】
温度２８℃、湿度８５％ＲＨの環境と温度１０℃、湿度１５％の環境とで、それぞれ、画像密度０％を２０００枚、画像密度２０％を２０００枚のプリントを図１のプリンタで繰り返し行なって図１のプリンタに計５万枚にわたるストレス走行試験を行なわせた。
【００５２】
その結果、図２に示すクリーニング装置でクリーニングされた放電ワイヤにより帯電された感光体による画像形成によっては、プリント終了時までプリント画像に筋が発生する等の不具合が発生しないということが確認された。
【図面の簡単な説明】
【００５３】
【図１】クリーニング装置が備えられた本発明の画像形成装置の一実施形態であるプリンタを示す概略図である。
【図２】コロトロンが備えるクリーニング装置の構成を説明する概念図である。
【図３】クリーニング装置が備える、本発明にいう駆動部の構成の一例を説明する図である。
【符号の説明】
【００５４】
１  プリンタ
１１  帯電装置（コロトロン）
１１０    放電ワイヤ
１１１    電圧印加部
１１２    研磨部材
１１３    水拭部材
１１４    乾拭部材
１１５    収容ケース
１１６    移動ケース
１１７    ベルト
１１８    水供給装置
１２    露光器
１３    現像機
１４    転写器
１５    定着器
１６    用紙トレイ
１７    搬送装置
１８    クリーナ
１９    カートリッジ
Ｍ１      モータ
Ｐ１  Ｐ２  プーリ
【図１】
2009193013.tif 000003
【図２】
2009193013.tif 000004
【図３】
2009193013.tif 000005